(57)【要約】      （修正有）【課題】安定よく直立させることのできるキャスタ付きのキャリーケースを提供する。【解決手段】キャリーケース１の底部に、複数のキャスタ４と、キャリーケース１を支持するための複数の底足９と、が設けられており、キャリーケース１が立てて置かれている場合において、該キャリーケース１が立てて置かれている場合において、複数のキャスタ４の各々を垂直方向に動かすことができるように、複数のキャスタ４がそれぞれの支持桿１０に取り付けられており、これらの支持桿１０が垂直方向に延在しかつ該キャリーケース１内へ入れ子式に収納可能に構成されている。【選択図】図１
0003209702.tif 000002
【実用新案登録請求の範囲】
【請求項１】
キャリーケースであって、
該キャリーケースの底部に、
複数のキャスタと、
該キャリーケースを支持するための複数の底足と、
が設けられており、
該キャリーケースが立てて置かれている場合において上記複数のキャスタの各々を垂直方向に動かすことができるように構成されていることを特徴とする、キャリーケース。
【請求項２】
上記複数のキャスタが垂直方向に上昇して最も高い位置にあるときには上記複数の底足だけで該キャリーケースを支える一方で、上記複数のキャスタが下降して最も低い位置にあるときには上記複数のキャスタだけで該キャリーケースを支えることができるように、各々のキャスタの垂直方向の可動域が、上記底足の底面よりも高い位置から低い位置までを含む所定の可動域となるように構成されていることを特徴とする請求項１に記載のキャリーケース。
【請求項３】
上記複数のキャスタがロック装置付きのキャスタであり、
上記複数のキャスタの各々に対応して設けられたロック解除ボタンを押すことによってキャスタの固定が解除され、該キャスタを垂直方向に動かすことができるように構成されていることを特徴とする請求項１又は請求項２に記載のキャリーケース。
【考案の詳細な説明】
【技術分野】
【０００１】
本考案は、キャリーケースに関し、詳しくは、安定よく直立させることのできるキャスタ付きのキャリーケースに関する。
【背景技術】
【０００２】
キャリーケースは、長期の旅行や出張の際に利用される機会が増えている。キャリーケースは、該キャリーケースを牽引する際に使用されるキャリーハンドル、該キャリーハンドルを牽いて歩く際に回転する複数のキャスタ、手提げハンドル（把持部）、更には底足（グライド）等から構成されている（特許文献１，２を参照）。
【０００３】
複数のキャスタとキャリーハンドルが設けられているキャリーケースが坂道の上に置かれるときには、使用者はキャスタの向きを変えることによりキャリーケースが坂下へ転がり落ちないようにしているが、大きな振動などを受けてキャスタの向きが変わると、キャリーケースが不意に坂下へ転がり落ちてしまうことがある。
【０００４】
また、平坦な場所で直立に置かれている場合には、キャリーケースが不意に動き出してしまうことは少ないが、このキャリーケースに他人が接触したり、地震などの大きな揺れを受けたりしたときはキャリーケースが不意に動いてしまうこともある。特には、鉄道のホームなどでキャリーケースが他人と接触して線路上へ落ちてしまうと危ない。
【０００５】
現在は、ロック装置付きのキャスタを備えるキャリーケースも市販されてはいるが、ロックが掛かっているか否かを外見から判断することが難しい。ロック付きキャスタのロックが掛かっている場合にも、キャスタの支えだけではキャリーケースが安定しない。
【０００６】
つまり、ロック装置付きのキャスタを備えるキャリーケースの場合、キャスタと路面との接触面積が小さいことから摩擦力が小さいため、キャリーケースが安定しない。
【先行技術文献】
【特許文献】
【０００７】
【特許文献１】米国特許第５４０７０３９号明細書
【特許文献２】実用新案登録第３１１８９９７号公報
【考案の概要】
【考案が解決しようとする課題】
【０００８】
安定よく直立させることのできるキャスタ付きのキャリーケースを提供する。坂道の上に置かれた場合にも坂下へ転がり落ちるのを防ぐことのできるキャスタ付きのキャリーケースがあると便利である。
【課題を解決するための手段】
【０００９】
キャリーケースの底部に、複数のキャスタと、該キャリーケースを支持するための複数の底足と、が設けられており、該キャリーケースが立てて置かれている（縦置きされている）場合において複数のキャスタの各々を垂直方向に動かすことができるように構成されていることを特徴とする、キャリーケースを提供する。
【００１０】
一実施例においては、複数のキャスタが垂直方向に上昇して最も高い位置にあるときには複数の底足だけでキャリーケースを支える一方で、複数のキャスタが下降して最も低い位置にあるときには複数のキャスタだけでキャリーケースを支えることができるように、各々のキャスタの垂直方向の可動域が、底足の底面よりも高い位置から低い位置までを含む所定の可動域となるように構成されていることを特徴とする。
【００１１】
また一実施例においては、複数のキャスタがロック装置付きのキャスタであり、複数のキャスタの各々に対応して設けられたロック解除ボタンを押すことによってキャスタの固定が解除され、該キャスタを垂直方向に動かすことができるように構成されている。
【図面の簡単な説明】
【００１２】
【図１】本考案のキャリーケースを示す斜視図。
【図２】複数のキャスタの支えで自立しているキャリーケース（キャリーハンドル側）を示す図。
【図３】複数の底足の支えで自立しているキャリーケース（キャリーハンドル側）を示す図。
【図４】キャリーケースの底部（底面）を示す図。
【図５】（（ａ）本考案のキャリーケース、（ｂ）従来品のキャリーケース）が坂道の上に置かれたときの様子を示す図。
【図６】キャリーハンドルが伸長している状態のキャリーケースを示す図。
【考案を実施するための形態】
【００１３】
本考案のキャリーケースについて、添付の図を参照しつつ以下に詳細に説明する。
【００１４】
図１に示されるように、一実施例においては、キャリーケース１は、身側シェル２及び蓋側シェル３を備えており、更には、使用者が該キャリーケース１を牽引して移動することができるようにキャリーハンドル５を備えている。
【００１５】
また、キャリーケース１の底面６に、垂直方向（図１に示される矢印Ａ／Ｂ方向）の所定の可動域内を移動できるように構成された複数のキャスタ４が設けられている。
【００１６】
キャスタ４の各々は、図１に示されるようにダブル車輪の場合もあれば、シングル車輪の場合もある。キャリーケース１の大きさや形態に応じて適切な車輪を選ぶとよい。
【００１７】
一実施例においては、各々のキャスタ４に対応して設けられているロック解除ボタン７を押すとそのキャスタ４の固定が解除され、該キャスタ４の支持桿１０とともに該キャスタ４を移動させることができるようになる（特許文献１を参照）。
【００１８】
図１を参照すると、キャスタ４を垂直方向に上昇させて高い位置にしたい場合には、ロック解除ボタン７を押して、矢印Ａ方向へ支持桿１０とともにキャスタ４を持ち上げるように移動させればよい。
【００１９】
一実施例においては、キャスタ４を垂直方向に下降させて低い位置にしたい場合には、各々のキャスタ４に対応して設けられているロック解除ボタン７を押すだけで、入れ子式に収納されていた支持桿１０とともに、キャスタ４が矢印Ｂ方向へ移動するように構成されている（例えば、ワンタッチ式の折り畳み傘と同様の機構）。
【００２０】
一実施例においては、自立させるための底足８がキャリーケース１の側面にも設けられている。側面に設けられた底足８は、使用者が手提げハンドル１ｂを握った手でキャリーケース１を手提げした後に、該キャリーケース１を自立させるときに支えとなる。
【００２１】
図１に示される矢印Ａ方向に沿って、複数のキャスタ４が底足９の底面９ａよりも高い位置まで持ち上げられると、複数のキャスタ４の代わりに複数の底足９が、キャリーケース１を自立状態に支持することができる。一実施例においては、側面に設けられた底足８と同様に、身側シェル２と蓋側シェル３に２つずつの底足９が設けられている。
【００２２】
図３は、複数の底足９を使って自立している状態のキャリーケース１を示している。図４は、一実施例における底足９の配置を示している。
【００２３】
図５（ａ）は、本考案のキャリーケース１が坂道１１の上に立てて置かれた（縦置きされた）ときの様子を示す。キャリーケース１の底部に設けられた複数の底足９を使って坂道１１の上にキャリーケース１が自立しているので、該キャリーケース１が坂下へ転がり落ちてしまうことを防いでいる。このように、キャリーケース１の使用者が坂道で信号待ちをしているときなどに、キャリーケース１が車道へ転がり出てしまうのを防ぐことができる。
【００２４】
図５（ｂ）は、従来品のキャリーケース１２が坂道１１の上に立てて置かれたときの様子を示す。従来品のキャリーケース１２は、複数のキャスタ１３によって支持されるので、キャスタ１３の向きによっては、不意に坂下へ転がり落ちてしまうことがある。
【００２５】
キャリーケース１が平坦な場所に立てて置かれていても、人と接触したり大きな振動（地震等）を受けたりしたときには、キャスタ４が不意に動いてしまうことがあるが、そのようなときにも、キャリーケース１の複数のキャスタ４を持ち上げて複数の底足９を使って自立させておくことで、キャリーケース１が不意に動いてしまうことを防ぐことができる。
【００２６】
図６は、キャリーハンドル５が伸長している状態の本考案のキャリーケース１を示す。
【符号の説明】
【００２７】
１…キャリーケース
１ａ…ジッパ（オープンファスナ）
１ｂ…手提げハンドル
２…身側シェル
３…蓋側シェル
４…キャスタ
５…キャリーハンドル
６…底部
７…ロック解除ボタン
８…底足
９…底足
９ａ…（底足の）底面
１０…支持桿
１１…坂道
１２…キャリーケース
１３…キャスタ
【図１】
0003209702.tif 000003
【図２】
0003209702.tif 000004
【図３】
0003209702.tif 000005
【図４】
0003209702.tif 000006
【図５】
0003209702.tif 000007
【図６】
0003209702.tif 000008
【手続補正書】
【提出日】平成29年2月6日(2017.2.6)
【手続補正１】
【補正対象書類名】実用新案登録請求の範囲
【補正対象項目名】全文
【補正方法】変更
【補正の内容】
【実用新案登録請求の範囲】
【請求項１】
キャリーケースであって、
該キャリーケースの底部に、
複数のキャスタと、
該キャリーケースを支持するための複数の底足と、
が設けられており、
該キャリーケースが立てて置かれている場合において上記複数のキャスタの各々を垂直方向に動かすことができるように、上記複数のキャスタがそれぞれの支持桿に取り付けられており、これらの支持桿が垂直方向に延在しかつ該キャリーケース内へ入れ子式に収納可能に構成されていることを特徴とする、キャリーケース。
【請求項２】
上記複数のキャスタが垂直方向に上昇して最も高い位置にあるときには上記複数の底足だけで該キャリーケースを支える一方で、上記複数のキャスタが下降して最も低い位置にあるときには上記複数のキャスタだけで該キャリーケースを支えることができるように、各々のキャスタの垂直方向の可動域が、上記底足の底面よりも高い位置から低い位置までを含む所定の可動域となるように構成されていることを特徴とする請求項１に記載のキャリーケース。
【請求項３】
上記複数のキャスタがロック装置付きのキャスタであり、
上記複数のキャスタの各々に対応して設けられたロック解除ボタンを押すことによってキャスタの固定が解除され、該キャスタを垂直方向に動かすことができるように構成されていることを特徴とする請求項１又は請求項２に記載のキャリーケース。
【手続補正２】
【補正対象書類名】明細書
【補正対象項目名】０００９
【補正方法】変更
【補正の内容】
【０００９】
キャリーケースであって、該キャリーケースの底部に、複数のキャスタと、該キャリーケースを支持するための複数の底足と、が設けられており、該キャリーケースが立てて置かれている（縦置きされている）場合において複数のキャスタの各々を垂直方向に動かすことができるように、上記複数のキャスタがそれぞれの支持桿に取り付けられており、これらの支持桿が垂直方向に延在しかつ該キャリーケース内へ入れ子式に収納可能に構成されていることを特徴とする、キャリーケースを提供する。